(57)【要約】【課題】簡単な構成で、連結ピンの局部的な摩耗の発生を防止し、振動や騒音を低減するとともに、歯飛びやタイミングの誤差を抑制することが可能なサイレントチェーンを提供すること。【解決手段】走行方向に交互に配置された第１リンク列１０１の第１リンクプレート１１１と第２リンク列１０２の第２リンクプレート１２１を屈曲可能に連結する連結ピン１３０と、連結ピン１３０の両端部側に嵌合固定されるガイドプレート１１２とを有するサイレントチェーンであって、ガイドプレート１１２が１つの連結ピン１３０ごとに独立して設けられていること。【選択図】図１
2014181787.tif 000002
【特許請求の範囲】
【請求項１】
１つ以上の第１リンクプレートからなる第１リンク列および２つ以上の第２リンクプレートからなる第２リンク列と、走行方向に交互に配置された前記第１リンク列の第１リンクプレートと第２リンク列の第２リンクプレートを屈曲可能に連結する連結ピンと、前記連結ピンの両端部側に嵌合固定されるガイドプレートとを有するサイレントチェーンであって、
前記ガイドプレートが、１つの連結ピンごとに独立して設けられていることを特徴とするサイレントチェーン。
【請求項２】
前記ガイドプレートが、円盤状の形状であることを特徴とする請求項１に記載のサイレントチェーン。
【請求項３】
前記ガイドプレートが、前記リンクプレートの背面より突出する外径端面を有するものを含むことを特徴とする請求項２に記載のサイレントチェーン。
【請求項４】
前記ガイドプレートが、大径ガイドプレートと、前記大径ガイドプレートより径の小さい小径プレートとからなり、
前記連結ピンの幅方向一方の端部側には前記大径ガイドプレートが、他方の端部側には前記小径ガイドプレートが嵌合固定され、
隣接する連結ピンのそれぞれの端部側で、前記大径ガイドプレートと小径ガイドプレートが走行方向に交互に配置されるよう構成されていることを特徴とする請求項２または請求項３に記載のサイレントチェーン。
【請求項５】
前記隣接する連結ピンの幅方向端部側に嵌合固定されたガイドプレートが、幅方向にずれた位置に交互に配置されていることを特徴とする請求項１乃至請求項３のいずれかに記載のサイレントチェーン。
【発明の詳細な説明】
【技術分野】
【０００１】
本発明は、離間する一対のスプロケット間に捲回され、駆動側スプロケットから被動側スプロケットに動力を伝達するためのサイレントチェーンに関するものである。
【背景技術】
【０００２】
従来、離間する一対のスプロケット間に捲回され、駆動側スプロケットから被動側スプロケットに動力を伝達するためのサイレントチェーンであって、１つ以上の第１リンクプレートからなる第１リンク列および２つ以上の第２リンクプレートからなる第２リンク列と、走行方向に交互に配置された第１リンク列と第２リンク列の第１リンクプレートと第２リンクプレートを屈曲可能に連結する連結ピンと、連結ピンの両端部側に嵌合固定されるガイドプレートとを有するものは公知である。
【０００３】
公知のサイレントチェーン５００は、例えば図１２乃至図１４に示すように、１つ以上（図示の例では３つ）の第１リンクプレート５１１からなる第１リンク列５０１および２つ以上（図示の例では４つ）の第２リンクプレート５２１からなる第２リンク列５０２と、走行方向に交互に配置された第１リンク列５０１と第２リンク列５０２の第１リンクプレート５１１と第２リンクプレート５２１を屈曲可能に連結する連結ピン５３０とを有し、第１リンク列５０１の幅方向の両外方に配置されたガイドプレート５１２が隣り合う２本の連結ピン５３０の両端部側に嵌合固定されている。
【０００４】
このことで、連結ピン５３０が抜け止めされるとともに、第１リンクプレート５１１と第２リンクプレート５２１がそれぞれ円滑に摺動し、かつ、ガタつくことがないように接触する状態となる。
また、ガイドプレート５１２は、サイレントチェーン５００がスプロケット（図示せず）に係合した際にスプロケットの歯の幅方向外側に延びる形状に構成されており、サイレントチェーン５００がスプロケットに正確に係合するようにガイドしている（特許文献１等参照。）。
【先行技術文献】
【特許文献】
【０００５】
【特許文献１】特許第３０３５２０６号公報
【特許文献２】特許第３２３５７９０号公報
【発明の概要】
【発明が解決しようとする課題】
【０００６】
しかしながら、このような公知のサイレントチェーン５００においては、ガイドプレート５１２に隣り合う２本の連結ピン５３０が嵌合固定されているため、第２リンクプレート５２１が屈曲を繰り返した場合、連結ピン５３０の同一の箇所が常に第２リンクプレート５２１と摺動することとなり、局部的な摩耗が発生するという問題があった。
連結ピン５３０に局部的な摩耗が発生するとチェーンピッチが長くなり、スプロケットとの係合時に振動や騒音が大きくなるとともに、歯飛びが発生したりタイミングに誤差が生じるという問題があった
【０００７】
また、連結ピンがガイドプレートには回転可能に嵌合され、ガイドプレートのさらに外方のピン止め金具に嵌合固定されて抜け止めされることによって、個々の連結ピンを回転可能としたものが公知である（特許文献２等参照。）。
しかしながら、このような公知のサイレントチェーンにおいては、個々の連結ピンが回転可能ではあっても、サイレントチェーンの使用時に連結ピンが積極的には回転することはなく、依然として連結ピンの同一の箇所が常に第１リンクプレートおよび第２リンクプレートと摺動することとなり、局部的な摩耗が発生するという問題があった。
【０００８】
本発明は、これらの問題点を解決するものであり、簡単な構成で、連結ピンの局部的な摩耗の発生を防止し、振動や騒音を低減するとともに、歯飛びやタイミングの誤差を抑制することが可能なサイレントチェーンを提供することを目的とするものである。
【課題を解決するための手段】
【０００９】
本請求項１に係る発明は、１つ以上の第１リンクプレートからなる第１リンク列および２つ以上の第２リンクプレートからなる第２リンク列と、走行方向に交互に配置された前記第１リンク列の第１リンクプレートと第２リンク列の第２リンクプレートを屈曲可能に連結する連結ピンと、前記連結ピンの両端部側に嵌合固定されるガイドプレートとを有するサイレントチェーンであって、前記ガイドプレートが、１つの連結ピンごとに独立して設けられていることにより、前記課題を解決するものである。
【００１０】
本請求項２に係る発明は、請求項１に係るサイレントチェーンの構成に加え、前記ガイドプレートが、円盤状の形状であることにより、前記課題を解決するものである。
本請求項３に係る発明は、請求項２に係るサイレントチェーンの構成に加え、前記ガイドプレートが、前記リンクプレートの背面より突出する外径端面を有するものを含むことにより、前記課題を解決するものである。
本請求項４に係る発明は、請求項２または請求項３に係るサイレントチェーンの構成に加え、前記ガイドプレートが、大径ガイドプレートと、前記大径ガイドプレートより径の小さい小径ガイドプレートとからなり、前記連結ピンの幅方向一方の端部側には前記大径ガイドプレートが、他方の端部側には前記小径ガイドプレートが嵌合固定され、隣接する連結ピンのそれぞれの端部側で、前記大径ガイドプレートと小径ガイドプレートが走行方向に交互に配置されるよう構成されていることにより、前記課題を解決するものである。
本請求項５に係る発明は、請求項１乃至請求項３のいずれかに係るサイレントチェーンの構成に加え、前記隣接する連結ピンの幅方向端部側に嵌合固定されたガイドプレートが、幅方向にずれた位置に交互に配置されていることにより、前記課題を解決するものである。
【発明の効果】
【００１１】
本請求項１に係るサイレントチェーンによれば、ガイドプレートが、１つの連結ピンごとに独立して設けられていることにより、個々の連結ピンがガイドプレートとともに回転可能であり、かつ、ガイドプレートは、サイレントチェーンがチェーンガイド上を走行した際やスプロケットに係合した際に、チェーンガイドやスプロケットの歯の幅方向外側と摺動あるいは転動して積極的に回転する。
このことで、連結ピンがガイドプレートとともに積極的に回転し、使用時に連結ピンの同一の箇所が第１リンクプレートおよび第２リンクプレートと摺動することがなく、局部的な摩耗の発生が防止され、チェーンピッチが長くなることが抑制され、スプロケットとの係合時の振動や騒音が低減されるとともに、歯飛びやタイミングの誤差が防止される。
【００１２】
本請求項２に記載の構成によれば、ガイドプレートが円盤状の形状であることにより、ガイドプレートがさらに円滑に回転し、連結ピンの局部的な摩耗の発生がさらに防止される。
本請求項３に記載の構成によれば、ガイドプレートがリンクプレートの背面より突出する外径端面を有することにより、サイレントチェーンがチェーンガイド上を走行した際に、ガイドプレートがチェーンガイド等と確実に摺動あるいは転動して積極的に回転し、より確実に連結ピンの局部的な摩耗の発生が防止される。
また、サイレントチェーンの背面側がチェーンガイドと摺動する際に、ガイドプレートがチェーンガイドの摺動面の幅方向外側を規定して走行することが可能となるため、チェーンガイドの幅を小さくすることができる。
【００１３】
本請求項４に記載の構成によれば、大径ガイドプレートによってスプロケットに係合した際にスプロケットの歯の幅方向外側に延びる部分を大きくすることが可能となり、サイレントチェーンの歯の形状にかかわらず、スプロケットに正確に係合するためのガイドとしての機能を充分に担保することが可能となるとともに、ガイドプレートは、サイレントチェーンがチェーンガイド上を走行した際やスプロケットに係合した際に、チェーンガイドやスプロケットの歯の幅方向外側と摺動あるいは転動してより確実に回転し、連結ピンを回転することが可能となる。
また、隣接する連結ピンのそれぞれの端部側で大径ガイドプレートと小径ガイドプレートが走行方向に交互に配置されるよう構成されていることにより、すべての連結ピンを確実に回転させることができる。
本請求項５に記載の構成によれば、隣接する連結ピンの幅方向端部側に嵌合固定されたガイドプレートが幅方向にずれた位置に交互に配置されていることにより、全てのガイドプレートを大径として構成部品の種類を減らしつつ、サイレントチェーンの歯の形状にかかわらず、スプロケットに正確に係合するためのガイドとしての機能を充分に担保することが可能となる。
また、隣り合うガイドプレートが接触摺動することでも回転が伝達され、全てのガイドプレートが積極的に回転して連結ピンを回転することが可能となる。
【図面の簡単な説明】
【００１４】
【図１】本発明の第１実施形態に係るサイレントチェーンの一部斜視図。
【図２】本発明の第１実施形態に係るサイレントチェーンの一部側面図。
【図３】本発明の第１実施形態に係るサイレントチェーンの一部平面図。
【図４】本発明の第１実施形態に係るサイレントチェーンがチェーンガイド上を走行した際の断面図説明図。
【図５】本発明の第１実施形態の変形例に係るサイレントチェーンの一部側面図。
【図６】本発明の第１実施形態の変形例に係るサイレントチェーンの一部平面図。
【図７】本発明の第２実施形態に係るサイレントチェーンの一部側面図。
【図８】本発明の第２実施形態に係るサイレントチェーンの一部平面図。
【図９】本発明の第２実施形態に係るサイレントチェーンがチェーンガイド上を走行した際の断面図説明図。
【図１０】本発明の第２実施形態の変形例に係るサイレントチェーンの一部側面図。
【図１１】本発明の第２実施形態の変形例に係るサイレントチェーンの一部平面図。
【図１２】従来のサイレントチェーンの一部斜視図。
【図１３】従来のサイレントチェーンの一部側面図。
【図１４】従来のサイレントチェーンの一部平面図。
【発明を実施するための形態】
【００１５】
本発明のサイレントチェーンは、１つ以上の第１リンクプレートからなる第１リンク列および２つ以上の第２リンクプレートからなる第２リンク列と、走行方向に交互に配置された第１リンク列の第１リンクプレートと第２リンク列の第２リンクプレートを屈曲可能に連結する連結ピンと、連結ピンの両端部側に嵌合固定されるガイドプレートとを有するサイレントチェーンであって、ガイドプレートが、１つの連結ピンごとに独立して設けられ、簡単な構成で、連結ピンの局部的な摩耗の発生を防止し、振動や騒音を低減するとともに、歯飛びやタイミングの誤差を抑制することが可能なものであれば、その具体的な構成はいかなるものであってもよい。
第１リンク列の第１リンクプレートおよび第２リンク列の第２リンクプレートの枚数はいかなる枚数であってもよく、第１リンクプレートと第２リンクプレートの厚さが同じでも異なるものでもよく、複数の第１リンクプレートが異なる厚さのものを含んでもよく、複数の第２リンクプレートが異なる厚さのものを含んでもよい。
また、第１リンク列の第１リンクプレートと第２リンク列の第２リンクプレートが幅方向で１枚ずつ交互に配置されていても、交互でなく配置されていてもよい。
【実施例１】
【００１６】
本発明の第１実施形態に係るサイレントチェーン１００について図面に基づいて説明する。
本発明の第１実施形態に係るサイレントチェーン１００は、図１乃至図３に示すように、第１リンク列１０１が３枚の第１リンクプレート１１１からなり、第２リンク列１０２が４枚の第２リンクプレート１２１からなり、走行方向に交互に配置された第１リンク列１０１の第１リンクプレート１１１と第２リンク列１０２の第２リンクプレート１２１が、幅方向に１枚ずつ交互に配置されて連結ピン１３０によって屈曲可能に連結されている。
【００１７】
連結ピン１３０の幅方向両端部には１つの連結ピン１３０ごとに独立してガイドプレート１１２が嵌合固定されて抜け止めされるとともに、個々の連結ピン１３０が自由に回転可能に構成されている。
ガイドプレート１１２は円盤状に形成され、図２に示すように、第１リンクプレート１１１および第２リンクプレート１２１がスプロケット（図示せず）に係合した際にスプロケットの歯の幅方向外側に延びる外径を有しており、サイレントチェーン１００がスプロケットに正確に係合するようにガイドしている。
【００１８】
以上のように構成されたサイレントチェーン１００によれば、個々の連結ピン１３０がガイドプレート１１２とともに回転可能に構成されているため、図４に示すように、サイレントチェーン１００の背面がチェーンガイドＧ上を走行した際に、ガイドプレート１１２がチェーンガイドＧの幅方向外側と摺動、あるいは、チェーンガイドＧの走行面と転動して積極的に回転することで連結ピン１３０が回転し、連結ピン１３０の同一の箇所が第１リンクプレート１１１および第２リンクプレート１２１と摺動することがない。
【００１９】
このことで、連結ピン１３０の局部的な摩耗の発生が防止され、該摩耗にともないチェーンピッチが長くなることが抑制され、スプロケットとの係合時の振動や騒音が低減されるとともに、歯飛びやタイミングの誤差が防止される。
なお、本実施形態ではガイドプレート１１２が円盤状の形状であるが、ガイドプレートとして連結ピンの抜け止め、および、スプロケットとの係合の確保ができるものであり、チェーンガイドと摺動した際に連結ピンと一体に回転可能なものであれな、多角形状やその他のいかなる形状であってもよい。
【００２０】
また、図５、図６に示すように、個々の連結ピン１３０の幅方向の一方の端部には、連結ピン１３０の抜け止めのみを行う小径ガイドプレート１１４を嵌合固定し、隣接する連結ピン１３０の該小径ガイドプレート１１４の嵌合固定された端部が交互に逆になるよう構成してもよい。
このことにより、小径ガイドプレート１１４はチェーンガイドＧやスプロケットの歯と摺動しないため、摺動抵抗を小さくできるとともに、スプロケットとの係合時の振動や騒音がさらに低減される。
【実施例２】
【００２１】
本発明の第２実施形態に係るサイレントチェーンは、図７、図８に示すように、個々の連結ピン１３０の幅方向の一方の端部には、連結ピン１３０の抜け止めのみを行う小径ガイドプレート１１４を嵌合固定し、他方の端部には第１リンクプレート１１１および第２リンクプレート１２１の背面より突出する外径端面を有する大径ガイドプレート１１３を嵌合固定し、隣接する連結ピン１３０の該大径ガイドプレート１１３の嵌合固定された端部が交互に逆になるよう構成されたものであり、他の構成は前述の第１実施形態に係るサイレントチェーン１００と同様である（図の符号は第１実施形態と同一とした。）。
【００２２】
本実施形態におけるサイレントチェーンによれば、第１実施形態のサイレントチェーン１００と同様の作用、効果を奏するとともに、大径ガイドプレート１１３が第１リンクプレート１１１および第２リンクプレート１２１の背面より突出する外径端面を有することにより、図９に示すように、大径ガイドプレート１１３がチェーンガイドＧの摺動面の幅方向外側を規定して走行することが可能となるため、チェーンガイドＧの幅を小さくすることができる。
また、大径ガイドプレート１１３がスプロケットの歯の幅方向外側に大きく突出するため、確実にスプロケットとの係合をガイドすることが可能となる。
【００２３】
また、図１０、図１１に示すように、全ての連結ピン１３０の幅方向の両端部に大径ガイドプレート１１３を嵌合固定し、隣接する連結ピン１３０に嵌合固定された大径ガイドプレート１１３が幅方向にずれた位置に交互に配置されるよう構成してもよい。
このことで、全てのガイドプレートを大径ガイドプレート１１３として構成部品の種類を減らしつつ、サイレントチェーンの歯の形状にかかわらず、スプロケットに正確に係合するためのガイドとしての機能を充分に担保することが可能となる。
また、隣り合う大径ガイドプレート１１３が接触摺動することでも回転が伝達され、全ての大径ガイドプレート１１３が積極的に回転して連結ピン１３０を回転することが可能となる。
【００２４】
以上説明した各実施形態は、本発明に係るサイレントチェーンの具体例であるが、本発明に係るサイレントチェーンがこれらに限定されるものではなく、各構成部材の形状、位置、寸法、配置関係等、様々な変形が可能である。
【符号の説明】
【００２５】
１００、５００  ・・・  サイレントチェーン
１０１、５０１  ・・・  第１リンク列
１０２、５０２  ・・・  第２リンク列
１１１、５１１  ・・・  第１リンクプレート
１１２、５１２  ・・・  ガイドプレート
１１３          ・・・  大径ガイドプレート
１１４          ・・・  小径プレート
１２１、５２１  ・・・  第２リンクプレート
１３０、５３０  ・・・  連結ピン
【図１】
2014181787.tif 000003
【図２】
2014181787.tif 000004
【図３】
2014181787.tif 000005
【図４】
2014181787.tif 000006
【図５】
2014181787.tif 000007
【図６】
2014181787.tif 000008
【図７】
2014181787.tif 000009
【図８】
2014181787.tif 000010
【図９】
2014181787.tif 000011
【図１０】
2014181787.tif 000012
【図１１】
2014181787.tif 000013
【図１２】
2014181787.tif 000014
【図１３】
2014181787.tif 000015
【図１４】
2014181787.tif 000016